(57)【特許請求の範囲】
【請求項１】
前枠と、遊技板を固定するために前記前枠の裏面に設けた桟枠と、その桟枠にロック装置を介して装着される機構板とを有する遊技機において、
前記ロック装置は、機構板から突設され前記桟枠の外側面に重なるロック主片を有するロック片と、前記桟枠の外側面に垂直な軸線を中心に回転可能なように該桟枠の外側面に軸着したロック手段と、前記ロック主片に開設され割口を介して前記ロック手段と対抗する側の面に開口するロック孔と、からなり、前記ロック手段を桟枠の外側面と平行な面内で回転させて前記ロック主片のロック孔に係脱させるようにしたものであることを特徴とする遊技機。
【請求項２】
前枠と、遊技板を固定するために前記前枠の裏面に設けた桟枠と、その桟枠にロック装置を介して装着される機構板とを有する遊技機において、
前記ロック装置は、機構板から突設され前記桟枠の外側面に重なるロック主片を有するロック片と、前記ロック主片に垂直な軸線を中心に回転可能なように該ロック主片に軸着したロック手段と、桟枠の外側面に開設され割口を介して桟枠の機構板と対抗する側の面に開口するロック孔と、からなり、前記ロック手段を桟枠の外側面と平行な面内で回転させて前記ロック孔に係脱させるようにしたものであることを特徴とする遊技機。
【請求項３】
前枠と、遊技板を固定するために前記前枠の裏面に設けた桟枠と、その桟枠にロック装置を介して装着される機構板とを有する遊技機において、
前記ロック装置は、機構板から突設され前記桟枠の外側面に重なるロック主片を有するロック片と、前記桟枠の外側面に垂直な軸線を中心に回転可能なように該桟枠の外側面に軸着したロック手段と、からなり、
前記ロック主片にロック手段の回転軸と平行な方向に係合片を突設すると共に該ロック主片の先端に半円形状の割口を開設し、
一方、ロック手段にロック主片の前記係合片に係合可能な係合アームを形成し、
前記ロック主片の割口をロック手段の嵌合胴部に嵌めて位置決めし、さらに前記ロック手段を桟枠の外側面と平行な面内で回転させて前記ロック主片の係合片に対し係合アームを係脱させるようにしたものであることを特徴とする遊技機。
【発明の詳細な説明】
【０００１】
【発明の属する技術分野】
本発明は、前枠の裏側に機構板を装着してなる遊技機に関する。
【０００２】
【従来の技術】
従来の遊技機について図７に示したパチンコ機を例に説明する。パチンコ機Ｐは、四角く枠組みした木又は合成樹脂製の外枠１と、その外枠１の前面に開閉自在に蝶着した前枠２と、前枠２の裏側に装着した機構板３と、から概略構成される。前記機構板３は、球タンク４、景品球排出装置５、入賞球処理装置６等の部品をセット化したものであり、四個のロック装置Ｌ，Ｌ…により前枠２と一体（ビス止め）の桟枠２ａに固定される。また、機構板３は、前記桟枠２ａ（前枠２）に対して、図７の右側辺に取り付けたヒンジ金具７で支持されていて、前記ロック装置Ｌ，Ｌ…のロックを解除することによりヒンジ金具７を中心としてドア状に開閉し得る。
【０００３】
【発明が解決しようとする課題】
従来、ロック装置Ｌは、球タンク４などと同じように機構板３の部品設置面に取り付けられていたが、その存在が他の部品の設置スペースを圧迫し、機構板を設計する上で邪魔になる可能性があった。
【０００４】
【課題を解決するための手段】
前枠と、遊技板を固定するために前記前枠の裏面に設けた桟枠と、その桟枠にロック装置を介して装着される機構板とを有する遊技機において、前記ロック装置は、機構板から突設され前記桟枠の外側面に重なるロック主片を有するロック片と、前記桟枠の外側面に垂直な軸線を中心に回転可能なように該桟枠の外側面に軸着したロック手段と、前記ロック主片に開設され割口を介して前記ロック手段と対抗する側の面に開口するロック孔と、からなり、前記ロック手段を桟枠の外側面と平行な面内で回転させて前記ロック主片のロック孔に係脱させるようにしたものである遊技機を提供する。
【０００５】
また、前枠と、遊技板を固定するために前記前枠の裏面に設けた桟枠と、その桟枠にロック装置を介して装着される機構板とを有する遊技機において、前記ロック装置は、機構板から突設され前記桟枠の外側面に重なるロック主片を有するロック片と、前記ロック主片に垂直な軸線を中心に回転可能なように該ロック主片に軸着したロック手段と、桟枠の外側面に開設され割口を介して桟枠の機構板と対抗する側の面に開口するロック孔と、からなり、前記ロック手段を桟枠の外側面と平行な面内で回転させて前記ロック孔に係脱させるようにしたものである遊技機を提供する。
【０００６】
また、前枠と、遊技板を固定するために前記前枠の裏面に設けた桟枠と、その桟枠にロック装置を介して装着される機構板とを有する遊技機において、前記ロック装置は、機構板から突設され前記桟枠の外側面に重なるロック主片を有するロック片と、前記桟枠の外側面に垂直な軸線を中心に回転可能なように該桟枠の外側面に軸着したロック手段と、からなり、前記ロック主片にロック手段の回転軸と平行な方向に係合片を突設すると共に該ロック主片の先端に半円形状の割口を開設し、一方、ロック手段にロック主片の前記係合片に係合可能な係合アームを形成し、前記ロック主片の割口をロック手段の嵌合胴部に嵌めて位置決めし、さらに前記ロック手段を桟枠の外側面と平行な面内で回転させて前記ロック主片の係合片に対し係合アームを係脱させるようにしたものである遊技機を提供する。
【０００７】
本発明の遊技機は、ロック装置を桟枠の外側面に配置することにより機構板の部品設置面をすっきりさせることができ、その結果、部品設置スペースに余裕ができ、機構板の設計が行いやすい。
【０００８】
【発明の実施形態１】
以下に本発明の実施形態１を図１〜図３を参照しつつ説明する。なお、図１は機構板を閉じる直前の状態を示す斜視図、図２は機構板を閉じた状態を示す要部の側面図、図３は要部の横断平面図である。これらの図面（以下図４〜図６も同じ。）に対し、前記図７と同一又は同機能部品に同一符号を付して詳細な説明を省略する。
【０００９】
ロック装置ＮＬは、図１に示したように、機構板３に突設したロック片８と、桟枠２ａに軸着したロック手段９と、ロック手段９をロック位置に停止させるストッパー手段１０と、ロック手段９をアンロック位置に停止させる振れ止め手段１１とで構成される。前記ロック片８は、機構板３の側面から遊技板１２と平行な向きに突設したリブ８ａ，８ａ付きの連設片８ｂと、その連設片８ｂの先端から直角に曲がって桟枠２ａの外側面に沿うロック主片８ｃとで構成される。また、ロック主片８ｃには、円孔１３ａに割口１３ｂを設けた鍵穴形態のロック孔が形成されている。
【００１０】
前記ロック手段９は、前記ロック孔の円孔１３ａに嵌合する嵌合胴部１４と、その嵌合胴部１４の中心を貫いて桟枠２ａの外側面に回転自在に軸着する中心ねじ１５と、嵌合胴部１４の上面に一体に突設した操作レバー１６と、その操作レバー１６の反対側に突設した振れ止め用の小突片１７と、から構成される。前記嵌合胴部１４は、ロック孔の円孔１３ａにほぼ嵌合する寸法の円盤を基本形とし、その円盤の両横をロック孔の割口１３ｂより若干小さい幅となるように切断した形態になっている。
【００１１】
前記ストッパー手段１０は、桟枠２ａの外側面であってロック片８に接触しない場所に突設されており、ロック手段９の操作レバー１６が当たるように高さと場所が設定されている。一方、振れ止め手段１１は、同じく桟枠２ａの外側面であってロック片８の割口１３ｂに対応する場所に突設されており、ロック手段９の小突片１７が当たる高さに設定されている。
【００１２】
次ぎに本発明のロック装置ＮＬの操作方法について説明する。先ず、機構板３が開いているときには、図１のようにロック手段９が水平に倒れたアンロック位置にある。このアンロック位置はロック手段９の小突片１７が桟枠２ａの振れ止め手段１１に当たって保たれている。
【００１３】
この状態で機構板３を閉じると、ロック手段９の嵌合胴部１４がロック片８の割口１３ｂを通って円孔１３ａに入る。次ぎに操作レバー１６を回すと、嵌合胴部１４の弧状の両端面が円孔１３ａの内周に摺接しつつ回転し、操作レバー１６がストッパー手段１０に当たって止まる。このように操作レバー１６がストッパー手段１０に当たって停止した位置がロック手段９のロック位置であり、この状態で嵌合胴部１４が円孔１３ａに嵌ってロック片８を拘束するから機構板３が開かない。
【００１４】
次ぎに閉じた機構板３を開く場合は、操作レバー１６を使ってロック手段９をロック位置からアンロック位置に回転させ、ロック孔の割口１３ｂと嵌合胴部１４の向きを一致させてから機構板３を開方向に引っ張ればよい。
【００１５】
【発明の実施形態２】
図４は実施形態２を示すもので、機構板を閉じた状態を示す要部の側面図である。実施形態２のロック装置ＮＬは、ロック孔の形状を半円形状に形成するとともに嵌合胴部１４を円形にして専ら両者の嵌め合いで位置決めを行わせるようになし、そのかわり、ロック片８とロック手段９にロック位置で係合し合う係合片１８と係合アーム１９を夫々に形成するようにしたものである。本実施形態２では、ロック片８の係合片１８がロック手段９をロック位置に停止させるストッパー手段１０をも兼ねている。
【００１６】
【発明の実施形態３】
図５，図６は発明の実施形態３を示すもので、図５は機構板を閉じた状態を示す要部の側面図、図６は要部の横断平面図である。実施形態３のロック装置ＮＬは、ロック片８にロック手段９を取り付け、桟枠２ａにロック孔（円孔１３ａと割口１３ｂ）を形成した点に特徴がある。
【００１７】
なお、実施形態３のロック手段９は、嵌合胴部１４と操作レバー１６を分離させるとともにその間にロック片８を介在させ、そのロック片８の軸孔２０を貫く中心軸２１を介して前記嵌合胴部１４と操作レバー１６を一体に連結してなる。また、桟枠２ａに形成したロック孔とロック手段９の嵌合胴部１４との相互関係は、実施形態１と同じである。また、振れ止め手段１１は、ロック片８に突設した半球状突起１１ａと、その半球状突起１１ａに嵌合可能なように操作レバー１６に形成した半球状凹部１１ｂとの組み合わせである。
【００１８】
以上本発明を実施形態１〜３について説明したが、もちろん本発明は上記各実施形態に限定されるものではない。例えば、各実施形態ではロック装置ＮＬを桟枠２ａの横の外側面に配置したが、桟枠２ａの上の外側面にロック装置ＮＬを配置するようにしてもよい。そうすることによりヒンジ金具７側のロック装置Ｌを本発明のロック装置ＮＬに置き換えることができる。また、実施形態１〜３においてストッパー手段１０は、嵌合胴部１４をカム形状となし、ロック位置で前記嵌合胴部１４をロック孔の内周に圧接させて緩ませないような形態であってもよい。また、図５に示したようにロック孔の割口１３ｂに嵌合胴部１４の進入を容易にするテーパ部１３ｃを形成するようにすれば、機構板３の自由端側が重みで下がってロック孔とロック手段９の位置に狂いが生じた場合でも、嵌合胴部１４とロック孔のドッキングが支障無く円滑に行える。もちろん実施形態１，２でも同様である。
【００１９】
【発明の効果】
以上のように本発明の遊技機は、ロック装置を桟枠の外側面に配置するようにしたため、機構板の部品設置面をすっきりさせることができ、その結果、部品設置スペースに余裕ができるから機構板の設計が行いやすくなる効果がある。なお、一台の遊技機に複数個のロック装置が使われている場合、そのうちの一個を本発明のロック装置にするだけでも前記効果は十分得られる。
【図面の簡単な説明】
【図１】  機構板を閉じる直前の状態を示す斜視図である。
【図２】  機構板を閉じた状態を示す要部の側面図である。
【図３】  要部の横断平面図である。
【図４】  機構板を閉じた状態を示す要部の側面図である。
【図５】  機構板を閉じた状態を示す要部の側面図である。
【図６】  要部の横断平面図である。
【図７】  従来技術を示すパチンコ機の裏面図である。
【符号の説明】
ＮＬ…ロック装置
Ｐ  …パチンコ機（遊技機）
２  …前枠
２ａ…桟枠
３  …機構板
８  …ロック片
８ｃ…ロック主片
９  …ロック手段
１２…遊技板
１３ｂ…割口
１４…嵌合胴部
１８…係合片
１９…係合アーム
【図１】
0003982049.tif 000002
【図２】
0003982049.tif 000003
【図３】
0003982049.tif 000004
【図４】
0003982049.tif 000005
【図５】
0003982049.tif 000006
【図６】
0003982049.tif 000007
【図７】
0003982049.tif 000008